(57)【要約】【課題】紫外線を照射して入力装置を消毒する消毒装置の利便性を向上させる。【解決手段】消毒装置は、載置部とセンサと紫外線光源とを具備する。その載置部は、入力装置が載置されてその入力装置を消毒する紫外線を遮蔽するとともにその入力装置を操作するための開口部が配置される。センサは、その開口部に近接する人物を検出する。紫外線光源は、その載置部に配置されてそのセンサの検出結果に基づいてその紫外線をその入力装置に照射する。【選択図】図３
2020124281.tif 000002
【特許請求の範囲】
【請求項１】
入力装置が載置されて前記入力装置を消毒する紫外線を遮蔽するとともに前記入力装置を操作するための開口部が配置される載置部と、
前記開口部に近接する人物を検出するセンサと、
前記載置部に配置されて前記センサの検出結果に基づいて前記紫外線を前記入力装置に照射する紫外線光源と
を具備する消毒装置。
【請求項２】
前記紫外線光源は、前記人物を検出した際に前記紫外線の照射を停止する請求項１記載の消毒装置。
【請求項３】
前記センサは、前記人物からの赤外線を検出することにより前記人物を検出する請求項１記載の消毒装置。
【請求項４】
前記センサは、前記人物の画像を撮像する撮像装置により構成される請求項１記載の消毒装置。
【請求項５】
前記載置部は、可視光を透過する請求項１記載の消毒装置。
【請求項６】
前記載置部は、前記入力装置に可視光を照射する可視光光源をさらに具備する請求項５記載の消毒装置。
【請求項７】
前記紫外線の照射時間を計測するタイマをさらに具備する請求項１記載の消毒装置。
【請求項８】
前記紫外線が照射中であることを示す警告部をさらに具備する請求項１記載の消毒装置。
【発明の詳細な説明】
【技術分野】
【０００１】
本開示は、消毒装置に関する。詳しくは、紫外線を照射して消毒する消毒装置に関する。
【背景技術】
【０００２】
従来、病院等の医療現場において、電子化されたカルテ等を処理するマイコン等の情報処理機器が使用されている。この情報処理機器には、キーボード等の入力装置が接続される。医療従事者は、この入力装置を操作して情報処理機器を使用する。この際、医療従事者が入力装置に触れるため、入力装置に付着する細菌やウィルスが問題となる。感染症の原因となる細菌やウィルス、例えば、ノロウイルスが付着したままの入力装置が使用されると、入力装置を介してノロウイルスが拡散することとなる。医療従事者の間にノロウイルスが蔓延する可能性がある。このような細菌等の拡散を防ぐには、入力装置の使用後に入力装置を消毒する必要がある。この消毒は、例えば、消毒用アルコール等の薬剤を塗布した布を使用して入力装置に付着した細菌等を拭き取ることにより行うことができる。しかし、キーボード等は多数のキーボタンが配置されており、これらのキーボタンに付着した細菌等を拭き取るのは困難である。
【０００３】
そこで、入力装置を紫外線により消毒する装置が提案されている。例えば、入力装置であるキー入力装置を収納する筐体の内部に紫外線の光源である紫外線管状ランプを配置し、キー入力装置の使用後に紫外線を照射して収納されたキー入力装置を殺菌するキー入力装置の殺菌装置が提案されている（例えば、特許文献１参照。）。このキー入力装置の殺菌装置においては、筐体にキー入力装置を出し入れするための開閉扉が配置される。人体に有害な紫外線を遮蔽するためである。使用者は、作業終了時にキー入力装置を筐体内に収納し、開閉扉取り付けて密閉状態にする。次に、紫外線管状ランプを点灯させて、キー入力装置に紫外線を照射することにより、キー入力装置を殺菌する。
【先行技術文献】
【特許文献】
【０００４】
【特許文献１】特開２０１０−１１９７７７号公報
【発明の概要】
【発明が解決しようとする課題】
【０００５】
上述の従来技術では、使用後のキー入力装置を筐体内に移動させて開閉扉を取り付ける必要があり、利便性が低下するという問題がある。
【０００６】
本開示は、上述した問題点に鑑みてなされたものであり、紫外線を照射して入力装置を消毒する消毒装置の利便性を向上させることを目的としている。
【課題を解決するための手段】
【０００７】
本開示は、上述の問題点を解消するためになされたものであり、その第１の態様は、入力装置が載置されて上記入力装置を消毒する紫外線を遮蔽するとともに上記入力装置を操作するための開口部が配置される載置部と、上記開口部に近接する人物を検出するセンサと、上記載置部に配置されて上記センサの検出結果に基づいて上記紫外線を上記入力装置に照射する紫外線光源とを具備する消毒装置である。これにより、入力装置の使用者は、載置部に載置された入力装置を開口部を介して使用し、使用後に載置部に載置された状態において消毒するという作用をもたらす。
【０００８】
また、この第１の態様において、上記紫外線光源は、上記人物を検出した際に上記紫外線の照射を停止してもよい。これにより、使用者による入力装置の使用に際に紫外線の照射が停止されるという作用をもたらす。
【０００９】
また、この第１の態様において、上記センサは、上記人物からの赤外線を検出することにより上記人物を検出してもよい。
【００１０】
また、この第１の態様において、上記センサは、上記人物の画像を撮像する撮像装置により構成されてもよい。
【００１１】
また、この第１の態様において、上記載置部は、可視光を透過してもよい。これにより、使用者は、載置部を介して入力装置を視認するという作用をもたらす。
【００１２】
また、この第１の態様において、上記載置部は、上記入力装置に可視光を照射する可視光光源をさらに具備してもよい。これにより、入力装置の近傍の照度が向上するという作用をもたらす。
【００１３】
また、この第１の態様において、上記紫外線の照射時間を計測するタイマをさらに具備してもよい。これにより、紫外線の照射時間を把握するという作用をもたらす。
【００１４】
また、この第１の態様において、上記紫外線が照射中であることを示す警告部をさらに具備してもよい。これにより、紫外線が照射中であることを使用者が認識するという作用をもたらす。
【図面の簡単な説明】
【００１５】
【図１】本開示の第１の実施の形態に係る消毒装置の構成例を示す図である。
【図２】本開示の第１の実施の形態に係る消毒装置の構成例を示す正面図である。
【図３】本開示の第１の実施の形態に係る消毒装置の構成例を示す断面図である。
【図４】本開示の第１の実施の形態に係る紫外線光源の構成例を示す図である。
【図５】本開示の第１の実施の形態に係る制御部の構成例を示す図である。
【図６】本開示の第１の実施の形態に係る制御部の制御方法の一例を示す図である。
【図７】本開示の第２の実施の形態に係る消毒装置の構成例を示す正面図である。
【図８】本開示の第３の実施の形態に係る消毒装置の構成例を示す図である。
【発明を実施するための形態】
【００１６】
次に、図面を参照して、本開示を実施するための形態（以下、実施の形態と称する）を説明する。以下の図面において、同一または類似の部分には同一または類似の符号を付している。また、以下の順序で実施の形態の説明を行う。
１．第１の実施の形態
２．第２の実施の形態
３．第３の実施の形態
【００１７】
＜１．第１の実施の形態＞
［消毒装置の外観］
図１は、本開示の第１の実施の形態に係る消毒装置の構成例を示す図である。同図の消毒装置１００は、コンピュータ等の情報処理装置の入力装置３を覆うとともに内側に紫外線光源が配置された載置部１１０を備える。載置部１１０には開口部１１１が形成される。また、消毒装置１００は、後述する制御部１４０を備える。情報処理装置は、主に医療現場において使用されるパーソナルコンピュータ等を想定したものである。
【００１８】
同図の入力装置３は、キーボードを想定したものである。入力装置３には、多数のキーボタンが配置される。使用者が入力装置３を使用する際、使用者の指が入力装置３のキーボタンに触れて操作（キーボタンの押し下げ）される。この入力装置３に病原性の細菌やウィルスが付着していた場合には、使用者の指に細菌等が付着する。これが繰り返されて、複数の使用者の間に細菌等が拡散される。このような細菌等の拡散を防ぐため、細菌等が付着した可能性がある入力装置３を殺菌または消毒する必要がある。ここで、殺菌とは、細菌やウィルス等の病原体を不活性化することである。また、消毒とは、病原体を害にならない程度に減少させることである。なお、入力装置３は使用者が直接操作してデータ等の入力を行う装置であり、キーボードの他にマウス、トラックボールおよびタッチパッド等が該当する。
【００１９】
また、載置部１１０が入力装置３を覆う構成にすることにより、入力装置３へのほこりや飲食物等の付着を低減することができる。また、載置部１１０の天板に、書類や筆記具、コップ等を置くこともできる。載置部１１０の上方空間の有効活用が可能となる。
【００２０】
なお、同図は、入力装置３が情報処理装置から分離される場合の例を表したものであるが、入力装置３はこの例に限定されない。例えば、電話やスマートフォン、タブレットのように、情報処理装置と入力装置とが一体となった装置にも適用することができる。この場合には、タブレット等を同図の入力装置３として配置することができる。また、同図は、情報処理装置の出力装置であるモニタ２を載置部１１０の背後に配置する例を表したものである。
【００２１】
［消毒装置の構成］
図２は、本開示の第１の実施の形態に係る消毒装置の構成例を示す正面図である。同図の消毒装置１００は、載置部１１０と、紫外線光源１２０乃至１２２と、センサ１３０と、制御部１４０とを備える。
【００２２】
図３は、本開示の第１の実施の形態に係る消毒装置の構成例を示す断面図である。同図は、図２におけるＡ−Ａ’線に沿った断面の構成を表す図である。また、同図は、使用者が入力装置３を操作する様子を表した図である。使用者は、開口部１１１を介して手を挿入し、載置部１１０の内部に載置された状態の入力装置３を操作することができる。
【００２３】
載置部１１０は、入力装置３が載置されるものである。この載置部１１０には開口部１１１が配置され、使用者は開口部１１１を介して入力装置３を操作する。同図の載置部１１０は、底部および開口部１１１を除く蓋状の筐体により構成され、入力装置３を覆う形状に構成される。入力装置３および載置部１１０を机等の天板４の上面に載置することにより、開口部１１１を除いて入力装置３を閉塞することができる。また、載置部１１０は、後述する紫外線光源１２１乃至１２２から照射された紫外線を遮蔽する。これにより、紫外線光源１２１等から紫外線が照射された際の載置部１１０における開口部１１１以外の部分からの紫外線の漏れを防止することができる。
【００２４】
載置部１１０は、紫外線の透過率が低い材料、例えば、金属により構成することができる。また、紫外線を吸収する樹脂により構成することもできる。また、紫外線を遮蔽するガラスにより載置部１１０を構成することもできる。具体的には、紫外線を吸収する無機材料（例えば、酸化チタン）を分散させたガラスや紫外線を吸収する有機材料膜を有する合わせガラス等を使用することができる。また、金属により構成された載置部１１０の天板部分に開口部を設け、上述の紫外線遮光能力を向上させたガラスを窓として配置する構成にすることもできる。このようなガラスによる載置部１１０を使用することにより、紫外線を遮蔽しながら可視光を透過させることができる。入力装置３の視認性を向上させることができ、利便性をさらに向上させることができる。
【００２５】
なお、載置部１１０の構成は、この例に限定されない。例えば、載置部１１０の底面を備える構成、すなわち、開口部１１１以外の５つの面を有する構成にすることもできる。この場合には、載置部１１０の底面上に入力装置３が載置される。この構成を採ることにより、載置部１１０の底面における紫外線の漏れを防止することができる。
【００２６】
紫外線光源１２０乃至１２２は、入力装置３に紫外線を照射する光源である。この紫外線光源は、入力装置３を消毒するための紫外線を照射する。紫外線光源１２０等には、管状に構成された光源を使用することができる。紫外線光源１２０は、載置部１１０の側面のうち開口部１１１に対向する面と上面との角部に配置される。紫外線光源１２１は開口部１１１の左側に隣接する側面と上面との角部に配置され、紫外線光源１２２は開口部１１１の右側に隣接する側面と上面との角部に配置される。このように、紫外線光源１２０乃至１２２により、３方向から紫外線が入力装置３に照射される。また、殺菌作用を向上させるため、紫外線光源１２０乃至１２２から照射される紫外線は、波長２８０ｎｍ以下の紫外線にする必要がある。このような紫外線光源として、紫外線を放射する発光ダイオード（ＬＥＤ：Light Emitting Diode）や冷陰極管を使用することができる。紫外線光源１２０等の構成の詳細については後述する。
【００２７】
なお、紫外線光源１２０等の配置は、この例に限定されない。例えば、開口部１１１の近傍の天板に紫外線光源をさらに配置し、４方から紫外線を入力装置３に照射する構成にすることもできる。また、多くのキーボタンが配置される等、複雑な形状の入力装置３に適用させるため、５以上の紫外線光源を配置する構成にすることもできる。
【００２８】
センサ１３０は、入力装置３の使用者等の開口部１１１に近接する人物を検出するセンサである。紫外線光源１２０乃至１２２からの紫外線を照射することにより、入力装置３に付着した細菌等を死滅させて消毒することができる。しかし、この紫外線は人体においても有害であるため、使用者が入力装置３を操作する際には、紫外線光源１２０乃至１２２からの紫外線の照射を停止させる必要がある。そこで、センサ１３０を配置して人物を検出することにより、使用者の有無を検出することができる。なお、センサ１３０は、人物を含む生物を検出する構成にすることもできる。
【００２９】
センサ１３０には、例えば、人感センサを使用することができる。この人感センサは、人物等から放射される赤外線を検出することにより人物を検出するセンサである。また、赤外線の発光部とこの発光部からの赤外線を受光する受光部とを配置し、人物により受光部に入射する赤外線が遮断された際に人物を検出する構成にすることもできる。具体的には、図２の載置部１１０の左側面および右側面の開口部１１１の近傍にそれぞれ赤外線の発光部および受光部を配置し、赤外線が遮られて受光部における受光量が減少した際に使用者が近接して手等を挿入したものと判断する構成を採ることもできる。また、超音波を照射して反射された超音波を検出することにより、使用者等の近接を検出する構成にすることもできる。
【００３０】
また、カメラ等の撮像装置をセンサ１３０として使用することもできる。具体的には、静止画または動画を撮像する撮像装置を配置し、撮像した画像に基づいて人物等を検出することができる。撮像した画像に人物の一部、例えば、手が映っている場合に、使用者が入力装置３を使用していると判断することができる。また、画像の解析を行い、手以外の人物が映っている場合においても、使用者が消毒装置１００の近傍にいると判断して紫外線の照射を停止させることもできる。また、顔や目が映っている場合に紫外線の照射を停止させる構成にすることもできる。また、入力装置３を汚染する生物、例えば、蝿やゴキブリ、ねずみ等を検出した際に、紫外線を照射する構成にすることもできる。
【００３１】
制御部１４０は、消毒装置１００の全体を制御するものである。この制御部１４０は、マイコン等により構成され、紫外線光源１２０乃至１２２およびセンサ１３０を制御する。具体的には、制御部１４０は、センサ１３０からの出力に基づいて使用者の有無を判断し、使用者が入力装置３を使用していない時に紫外線光源１２０乃至１２２を制御して紫外線を入力装置３に照射させる制御を行う。制御部１４０の構成の詳細については後述する。制御部１４０と紫外線光源１２０乃至１２２およびセンサ１３０との間は、不図示の信号線により電気的に接続される。なお、同図は制御部１４０が載置部１１０の内側に配置される例を表したものであるが、他の構成、例えば、制御部１４０が載置部１１０の外側に配置される構成を採ることもできる。
【００３２】
［紫外線光源の構成］
図４は、本開示の第１の実施の形態に係る紫外線光源の構成例を示す図である。同図は紫外線光源１２０の構成例を表す断面図であり、同図の紫外線光源１２０を例に挙げて紫外線光源の構成を説明する。紫外線光源１２０は、ガラス容器１２９と、基板１２８と、ＬＥＤ１２７と、口金１２６とを備える。
【００３３】
ＬＥＤ１２７は、紫外線を照射するＬＥＤである。このＬＥＤ１２７は、供給される電力に応じた紫外線を生成して照射する。ＬＥＤ１２７には、例えば、２８０ｎｍの波長の紫外線を生成するＬＥＤを使用することができる。基板１２８は、複数のＬＥＤ１２７が実装される基板である。この基板１２８には、ＬＥＤ１２７に電力を供給する配線（不図示）が配置され、複数のＬＥＤ１２７に配線される。ガラス容器１２９は、ＬＥＤ１２７が実装された基板１２８を保護するガラス製の容器である。このガラス容器１２９は、例えば、円筒形状に構成され、内部に基板１２８を配置することができる。口金１２６は、ＬＥＤ１２７の電力を供給する端子（不図示）が形成されるソケットである。この口金１２６は、ガラス容器１２９の一方の端部に隣接して配置され、基板１２８を保持する。この口金１２６の端子を介して電力を供給することにより、ＬＥＤ１２７を点灯させることができ、紫外線を照射させることができる。
【００３４】
［制御部の構成］
図５は、本開示の第１の実施の形態に係る制御部の構成例を示す図である。同図は、制御部１４０の構成例を表すブロック図である。制御部１４０は、光源制御部１４１と、光源駆動部１４２と、センサ制御部１４３と、タイマ１４４とを備える。
【００３５】
光源制御部１４１は、紫外線光源１２０乃至１２２における紫外線の照射を制御するものである。この光源制御部１４１は、例えば、センサ１３０の出力に基づいて入力装置３の使用者の有無を判断し、使用者が入力装置３を使用していない時に紫外線光源１２０乃至１２２に対して紫外線を照射させることができる。
【００３６】
また、光源制御部１４１は、所定の期間に紫外線を照射することもできる。例えば、光源制御部１４１は、後述するタイマ１４４を制御して紫外線の照射時間を取得し、入力装置３の消毒に要する期間を設定して紫外線を照射させることもできる。これにより、紫外線照射時間を短縮することができ、消毒に要する電力を削減することができる。この場合には、紫外線による入力装置３の劣化を軽減することができる。
【００３７】
光源駆動部１４２は、紫外線光源１２０乃至１２２を駆動するものである。この光源駆動部１４２は、光源制御部１４１の制御に基づいて紫外線光源１２０乃至１２２に発光のための電力を供給することにより紫外線光源１２０等を駆動する。
【００３８】
センサ制御部１４３は、センサ１３０を制御するものである。このセンサ制御部１４３は、センサ１３０の出力信号に基づいて人物等を検出し、検出結果を光源制御部１４１に対して出力するものである。また、センサ１３０として撮像装置を使用する際には、センサ制御部１４３は、制御信号を生成してセンサ１３０に対して出力することができる。
【００３９】
タイマ１４４は、経過時間を計測するものである。例えば、このタイマ１４４は、紫外線光源１２０乃至１２２における紫外線の照射開始とともに計時を開始して紫外線の照射時間を計測することができる。また、例えば、タイマ１４４は、紫外線が照射されていない時間を計測することもできる。例えば入力装置３への紫外線照射を繰り返し行う場合に、タイマ１４４は、入力装置３への紫外線照射の停止とともに計時を開始して紫外線照射が停止されている時間を計測することができる。
【００４０】
入力装置３の消毒に要する紫外線照射時間について検討する。細菌等の不活性化に要する紫外線照射量は、細菌等の種類により異なる。具体的には、黄色ブドウ球菌では９．７ｍＪ／ｃｍ２となり、インフルエンザウイルスでは６．６ｍＪ／ｃｍ２となる。そこで、入力装置３の消毒に必要な紫外線照射量を１０ｍＪ／ｃｍ２と想定する。また、入力装置３として１０８キーボード（幅４６ｃｍ、奥行き１５ｃｍ）を想定すると、入力装置３の紫外線照射面積は次式のようになる。
４６×１５＝６９０［ｃｍ２］
この入力装置３に照射する紫外線照射量は次式にようになる。
１０×６９０＝６９００［ｍＪ］
紫外線光源１２０乃至１２２のＬＥＤ１２７として紫外線放射出力が４ｍＷのＬＥＤを想定する。ＬＥＤ１２７の配置数を増加させる程、消毒に要する時間を短縮することができる。例えば、ＬＥＤ１２７を６０個配置する場合の照射時間は次のようになる。
６９００／（４×６０）＝２８．７５［秒］
すなわち、約３０秒紫外線を照射することにより、入力装置３を消毒することができる。この場合、タイマ１４４は経過時間として３０秒を計時することとなる。
【００４１】
［制御部の制御］
図６は、本開示の第１の実施の形態に係る制御部の制御方法の一例を示す図である。まず、制御部１４０は、センサ制御部１４３を介してセンサ１３０の出力を監視し、人物が検出されるまで待機する（ステップＳ１０１）。人物が検出された場合には（ステップＳ１０１：Ｙｅｓ）、使用者が入力装置３の操作を開始したものと判断することができる。制御部１４０は、引き続きセンサ制御部１４３を介してセンサ１３０の出力を監視し、人物が検出されなくなるまで待機する（ステップＳ１０２）。人物が検出されなくなった場合には（ステップＳ１０２：Ｎｏ）、使用者が入力装置３の操作を停止したものと判断することができる。制御部１４０は、光源駆動部１４２を制御して紫外線光源１２０乃至１２２を駆動し、紫外線照射を開始する（ステップＳ１０３）。次に、制御部１４０は、タイマ１４４を制御し、計時を開始する（ステップＳ１０４）。
【００４２】
次に、制御部１４０は、センサ制御部１４３を介してセンサ１３０の出力を監視し、人物が検出された場合には（ステップＳ１０５：Ｙｅｓ）、ステップＳ１０７の処理に移行する。一方、人物が検出されない場合には（ステップＳ１０５：Ｎｏ）、制御部１４０は、タイマ１４４により計測された経過時間が所定の照射時間に達したか否かを判断する（ステップＳ１０６）。所定の照射時間に達していない場合には（ステップＳ１０６：Ｎｏ）、制御部１４０は、ステップＳ１０５の処理に移行する。一方、所定の照射時間に達した場合には（ステップＳ１０６：Ｙｅｓ）、入力装置３の消毒が終了したものと判断することができる。制御部１４０は、ステップＳ１０７の処理に移行する。
【００４３】
ステップＳ１０７において、制御部１４０は、光源駆動部１４２を制御して紫外線光源１２０乃至１２２の駆動を停止させ、紫外線照射を停止する（ステップＳ１０７）。次に、制御部１４０は、タイマ１４４を制御し、計時を停止する（ステップＳ１０８）。その後、制御部１４０は、ステップＳ１０１からの処理を再度実行する。このような制御を消毒装置１００において実行することにより、使用者が触れた入力装置３の消毒を行うことができる。なお、図５および６において制御部１４０に配置されたタイマ１４４により紫外線の照射時間を計測する例について説明したが、消毒装置１００の構成はこの例に限定されない。例えば、タイマ１４４を省略する構成を採ることもできる。
【００４４】
以上説明したように、本開示の第１の実施の形態の消毒装置１００は、センサ１３０により人物の有無を判断し、使用者が操作を停止した後の入力装置３に紫外線を照射し、入力装置３を消毒する。使用者は、開口部１１１を介して載置部１１０内に載置された状態の入力装置３を使用することができる。このため、使用者は、使用時における入力装置３の載置部１１０からの取り出しや使用後における入力装置３の載置部１１０の内への収納および開口部１１１の閉塞が不要となり、消毒装置１００の利便性を向上させることができる。入力装置３の消毒の際には紫外線が開口部１１１から載置部１１０の外部に漏れることとなるが、センサ１３０により人物の有無を判断して紫外線の照射を停止させることができるため、使用者への紫外線の照射を防ぐことができる。簡便な構造の載置部１１０を採用しながら利便性を向上させるとともに安全性を向上させることができる。
【００４５】
＜２．第２の実施の形態＞
上述の第１の実施の形態の消毒装置１００は、センサ１３０により人物の有無を検出して紫外線を照射していた。これに対し、本開示の第２の実施の形態の消毒装置１００は、紫外線が照射中であることを示す警告部１６０をさらに備える点で、上述の第１の実施の形態と異なる。
【００４６】
［消毒装置の構成］
図７は、本開示の第２の実施の形態に係る消毒装置の構成例を示す正面図である。同図の消毒装置１００は、警告部１６０と、可視光光源１５０とをさらに備える点で、図２において説明した消毒装置１００と異なる。
【００４７】
警告部１６０は、紫外線光源１２０乃至１２２から紫外線が照射されていること示すものである。この警告部１６０は、例えば、可視光のＬＥＤ等の光源により構成することができ、紫外線光源１２０等における紫外線の照射と同期して発光させることができる。この警告部１６０のＬＥＤとして紫色光のＬＥＤを採用すると好適である。紫色光により紫外線が想起され、使用者に紫外線が照射中であることを容易に認識させることができるためである。
【００４８】
なお、警告部１６０の構成は、この例に限定されない。例えば、載置部１１０が可視光を透過する樹脂等の素材により構成される場合に、紫外線が照射中であることを想起させる文字等を蛍光塗料により載置部１１０の内側に付したものを警告部１６０として使用することもできる。この場合には、紫外線光源１２０等からの紫外線が照射されて蛍光塗料が蛍光を発することにより、使用者に警告することができる。
【００４９】
可視光光源１５０は、入力装置３に可視光を照射する光源である。この可視光光源１５０は、例えば、白色のＬＥＤ等により構成することができる。使用者が入力装置３を操作する際に、可視光光源１５０からの可視光を入力装置３に照射することにより、入力装置３の視認性を向上させることができる。前述のように載置部１１０として、可視光を透過するとともに紫外線を遮蔽する樹脂やガラスにより構成された載置部１１０を使用することにより、入力装置３の視認性を向上させることができる。しかし、紫外線を遮蔽する機能を有する樹脂等は可視光の透過率が比較的低く、入力装置３を認識するための光量が不足する場合がある。このような場合であっても、可視光光源１５０を配置することにより、入力装置３の視認性の向上が可能となる。なお、ＬＥＤを使用した警告部１６０と併用する際には、可視光光源１５０は、警告部１６０とは異なる色の可視光を照射させる必要がある。
【００５０】
これ以外の消毒装置１００の構成は本開示の第１の実施の形態において説明した消毒装置１００の構成と同様であるため、説明を省略する。
【００５１】
以上説明したように、本開示の第２の実施の形態の消毒装置１００は、紫外線が照射中であることを示す警告部１６０を備えることにより、消毒装置１００の安全性を向上させることができる。
【００５２】
＜３．第３の実施の形態＞
上述の第１の実施の形態の消毒装置１００は、使用時に机等の天板に載置していた。これに対し、本開示の第３の実施の形態の消毒装置は、机と一体に構成される点で、上述の第１の実施の形態と異なる。
【００５３】
［消毒装置の外観］
図８は、本開示の第３の実施の形態に係る消毒装置の構成例を示す図である。同図の消毒装置２００は、机の一部として構成される点で、図１において説明した消毒装置１００と異なる。具体的には、机の天板の下側面に隣接して載置部２１０が配置される。この載置部２１０の内部に入力装置３が載置される。使用者は、載置部２１０の開口部２１１を介して入力装置３を操作する。なお、机の天板の一部にガラス窓を配置することにより、利便性をさらに向上させることができる。このガラス窓には、可視光を透過するとともに紫外線を遮蔽するガラスを使用する。
【００５４】
これ以外の消毒装置２００の構成は本開示の第１の実施の形態において説明した消毒装置１００の構成と同様であるため、説明を省略する。
【００５５】
以上説明したように、本開示の第３の実施の形態の消毒装置２００は、机と一体に構成された消毒装置２００において、利便性を向上させることができる。
【００５６】
なお、本開示の実施の形態における消毒装置は、入力装置３以外の医療器具等の消毒に使用可能であることは勿論である。
【００５７】
最後に、上述した各実施の形態の説明は本開示の一例であり、本開示は上述の実施の形態に限定されることはない。このため、上述した各実施の形態以外であっても、本開示に係る技術的思想を逸脱しない範囲であれば、設計等に応じて種々の変更が可能であることは勿論である。
【００５８】
また、上述の実施の形態における図面は、模式的なものであり、各部の寸法の比率等は現実のものとは必ずしも一致しない。また、図面相互間においても互いの寸法の関係や比率が異なる部分が含まれることは勿論である。
【００５９】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（CompactDisc）、ＤＶＤ（DigitalVersatileDisc）およびメモリカード等を用いることができる。
【符号の説明】
【００６０】
２  モニタ
３  入力装置
４  天板
１００、２００  消毒装置
１１０、２１０  載置部
１１１、２１１  開口部
１２０〜１２２  紫外線光源
１２７  ＬＥＤ
１３０  センサ
１４０  制御部
１４４  タイマ
１５０  可視光光源
１６０  警告部
【図１】
2020124281.tif 000003
【図２】
2020124281.tif 000004
【図３】
2020124281.tif 000005
【図４】
2020124281.tif 000006
【図５】
2020124281.tif 000007
【図６】
2020124281.tif 000008
【図７】
2020124281.tif 000009
【図８】
2020124281.tif 000010